(57)【要約】      （修正有）【課題】変化に富んだ組合せを行うことができる折りたたみ式三角形収納箱を提供する。【解決手段】第一板体１１と、第二板体１２と、第三板体１３とによって構成する。第一板体は第二板体に連結され、第二板体は第三板体に連結され、第三板体は第一板体に連結され、第一板体と第二板体と第三板体が囲む範囲の下端は三角形底部を形成するとともに、上端は三角開口を形成する。第一板体の中間には折線１１１が設けられ、折線によって第一板体は第一Ａ板部材１１Ａと第一Ｂ板部材１１Ｂに区分けされ、第一Ａ板部材と第一Ｂ板部材は折線によって相互に折りたたまれる。第一Ａ板部材と第一Ｂ板部材には、相互に異なる極性をもつ少なくとも一つの磁石４が設けられ、第二板体と第三板体には、複数の收納箱を合わせた時に相互に吸着させるために、相互に異なる極性をもつ少なくとも一つの磁石が設けられる。【選択図】図１
0003166381.tif 000002
【実用新案登録請求の範囲】
【請求項１】
第一板体と、第二板体と、第三板体とよって構成する折りたたみ式三角形収納箱であって、
第一板体は第二板体に連結され、第二板体は第三板体に連結され、第三板体は第一板体に連結され、
第一板体と第二板体と第三板体が囲む範囲の下端は三角形底部を形成するとともに、上端は三角開口を形成し、
第一板体の中間には折線が設けられ、折線によって第一板体は第一Ａ板部材と第一Ｂ板部材に区分けされ、第一Ａ板部材と第一Ｂ板部材は折線によって相互に折りたたまれ、第一Ａ板部材と第一Ｂ板部材には、相互に異なる極性をもつ少なくとも一つの磁石が設けられ、第二板体と第三板体には、複数の收納箱を合わせた時に相互に吸着させるために、相互に異なる極性をもつ少なくとも一つの磁石が設けられることを特徴とする、折りたたみ式三角形収納箱。
【請求項２】
前記折りたたみ式三角形収納箱は、三角形蓋体をさらに備え、三角形蓋体は前記三角形收納箱の開口に被せることを特徴とする、請求項１に記載の折りたたみ式三角形収納箱。
【請求項３】
前記折りたたみ式三角形収納箱は、矩形蓋体をさらに備え、二つ或いは四つの三角形收納箱を組み合わせて矩形を形成させた後、矩形蓋体は、矩形を形成した複数の三角形收納箱のすべての開口に一括で被せることを特徴とする、請求項１に記載の折りたたみ式三角形収納箱。
【考案の詳細な説明】
【技術分野】
【０００１】
本考案は収納箱に関し、特に相互に吸い合わせて固定する機能と、変化に富んだ組合せを行える機能を兼ね備えた収納箱に関する。
【背景技術】
【０００２】
しまっておくのに便利なように体積を小さくするため、折りたたみ可能にした収納箱の種類は数多い。例えば、ある収納箱は、軟質の布から矩形の箱体を形成させ、矩形の箱体の上端の四辺にそれぞれ上部水平棒を設け、箱体の下端の対向する両辺に下部水平棒にそれぞれ設け、箱体の四つの垂直辺には立棒をそれぞれ設ける。また、隣接する上部水平棒端部の間、隣接する下部水平棒端部の間、及び立棒と上、下水平棒の端部の間は、適度な距離を保たせる。
【０００３】
従来の收納箱はいずれも矩形体であるため、単純な収納機能しかもたず、変化に富んだ組合せをおこなうことはできない。
【考案の概要】
【考案が解決しようとする課題】
【０００４】
そこで、本考案は、変化に富んだ組合せを行うことができる折りたたみ式三角形収納箱を提供することを目的とする。
【課題を解決するための手段】
【０００５】
本考案による折りたたみ式三角形収納箱は、三つの板体を順番に連結させて密封された三角形箱体を形成してなる。その内の一枚の板体には折線を設け、折線によって板体は二つの板部材に区分けされる。三つの板体は相互に可動であり、折りたたんで扁平状にすることもできるし、展開させて三角形の箱体にすることもできる。各板体には、異なる極性をもつ磁石を設け、箱体を折りたたんで扁平状にしたとき、磁石によって相互に吸着して固定される。また、三角形の箱体に設けられた各板体の異なる極性をもつ磁石によって、複数の收納箱を合わせた時に複数の收納箱は相互に吸着して固定されるため、二つ或いは四つの三角形の箱体を組み合わせて矩形体を形成させることもできるし、さらにはもっと多くの箱体を組み合わせてその他の変化に富んだ形態を形成させることもできる。
【図面の簡単な説明】
【０００６】
【図１】本考案の実施例１を示した斜視図である。
【図２】本考案の実施例１の箱体を折りたたむ際、板体を箱体の内部に入れている状態を示した斜視図である。
【図３】本考案の実施例１の箱体を折りたたんで扁平状にした状態を示した斜視図である。
【図４】二つの三角形の箱体を組み合わせて矩形体にした本考案の実施例２を示した斜視図である。
【図５】本考案の実施例２の二つの三角形の箱体を組み合わせて矩形体にした後、矩形蓋体を被せようとしている状態を示した斜視図である。
【図６】本考案の実施例２の矩形蓋体を二つの三角形の箱体の上方に被せた状態を示した斜視図である。
【図７】三角形の箱体の上方に三角形蓋体を被せる本考案の実施例３を示した斜視図である。
【図８】三角形蓋体を被せた二つの三角形の箱体を組み合わせて矩形体を形成させた実施例４を示した斜視図である。
【図９】四つの三角形の箱体を組み合わせて矩形体を形成させた実施例５を示した斜視図である。
【図１０】複数の三角形の箱体を放射状に配列させた実施例６を示した斜視図である。
【考案を実施するための形態】
【０００７】
（実施例１）
図１は、本考案による折りたたみ式三角形収納箱の実施例１を示している。本考案による折りたたみ式三角形収納箱は、箱体１と底板２とによって構成する。箱体１は、第一板体１１と、第二板体１２と、第三板体１３とからなり、第一板体１１の垂直側辺は、第二板体１２の垂直側辺と連結させ、第二板体１２のもう一つの垂直側辺は、第三板体１３の垂直側辺に連結させ、第三板体１３のもう一つの垂直側辺は第一板体１１のもう一つの垂直側辺に連結させる。第一板体１１と第二板体１２は、相互に折りたたむことができ、第二板体１２と第三板体１３は相互に折りたたむことができ、第三板体１３と第一板体１１も相互に折りたたむことができる。第一板体１の中間には折線１１１を設け、折線１１１は、第一板体１１を第一Ａ板部材１１Ａと第一Ｂ板部材１１Ｂに区分けする。第一Ａ板部材１１Ａと第一Ｂ板部材１１Ｂは、折線１１１によって相互に折りたたむことができる。第一板体１１と第二板体１２と第三板体１３が囲む範囲の下端は三角形の底部を形成し、上端は三角形の開口を形成し、全体として三角形の收納箱を形成する。本考案は、適度な硬さをもった材料からなる箱体１の第一板体１１と第二板体１２と第三板体１３を採用し、可撓性をもった面材（例えば、布、ビニール布等の材料）で硬質の第一板体１１と第二板体１２と第三板体１３の外面を被覆し、板体と板体の間に適度な隙間をもたせるとともに、可撓性の面材で連結することで、板体と板体の間に、曲げることができる折線を形成させる。底板２は、箱体１の軟質の底面に対応する三角形であり、底板２を箱体１の軟質の底面に配置することで、箱体を位置決めさせるとともに、物品の重量を支える強度をもたせることができる。本考案は、さらに、第一Ａ板部材１１Ａと第一Ｂ板部材１１Ｂの適切な位置に、互いに異なる極性をもつ少なくとも一つの磁石４を設けるとともに、第二板体１２と第三板体１３に、少なくとも一つの磁石４を設ける。この構造により、本考案を使用しない時、三角形の底板２を箱体１の底部から取り出し、さらに三角形の箱体を折りたたんで扁平状にし（図２と図３に図示）、それと同時に、図２に示すように、底板を失くさないようにするために、底板２を箱体１内の側辺に入れることができる。箱体１を扁平状にした後、第一Ａ板部材１１Ａに設けられた磁石４は、第一Ｂ板部材１１Ｂに設けられた磁石４と互いに吸いつき合って固定される。
【０００８】
（実施例２）
図４に示すように、本考案は、二つの三角形の箱体の二つの第一板体１１を相互に合わせ、異なる極性の磁石４で吸いつけて固定することで、二つの三角形空間をもつ矩形体を形成させることができる。そして、さらに、並列して貼りあわされた二つの三角形の箱体の開口に矩形蓋体３Ａを被せることができる（図５と図６に図示）。
【０００９】
（実施例３、実施例４）
図７に示すように、本考案は、さらに、三角形の箱体１の開口に被せる三角形蓋体３Ｂを提供することができる。そして、図８に示すように、三角形蓋体３Ｂを被せた二つの三角形箱体１を並列に並べ、矩形体を形成させることができる。
【００１０】
（実施例５）
図９に示すように、本考案は、四つの三角形の箱体１を合わせて矩形体を形成することができ、各三角形の箱体の上方の開口には、それぞれ三角形蓋体３Ｂを被せる。
【００１１】
（実施例６）
図１０に示すように、本考案は、複数の三角形の箱体１を放射状に並べて花びら状の形態を形成させることができ、各三角形の箱体の上方の開口には、それぞれ三角形蓋体３Ｂを被せる。
【符号の説明】
【００１２】
１        箱体
１１      第一板体
１１Ａ    第一Ａ板部材
１１Ｂ    第一Ｂ板部材
１１１    折線
１２      第二板体
１３      第三板体
２        底板
３Ａ      矩形蓋体
３Ｂ      三角形蓋体
４        磁石
【図１】
0003166381.tif 000003
【図２】
0003166381.tif 000004
【図３】
0003166381.tif 000005
【図４】
0003166381.tif 000006
【図５】
0003166381.tif 000007
【図６】
0003166381.tif 000008
【図７】
0003166381.tif 000009
【図８】
0003166381.tif 000010
【図９】
0003166381.tif 000011
【図１０】
0003166381.tif 000012